(57)【要約】【課題】  芯体を備えた固形石鹸を提供すること。【解決手段】  中高で外周に行くほど薄くなる断面形状で適宜平面形状の芯体１を、生分解性プラスチックで形成すると共に、該芯体１の表面又は裏面若しくは表裏両面に、その石鹸２のブランド名やマークなどの表示を凸状３に、また石鹸のメーカ名，社章，クジなどの表示を凹状４にそれぞれ形成して設け、この芯体１を固形石鹸２の中心部に内蔵させたこと。【選択図】    図２
0003114064.tif 000002
【実用新案登録請求の範囲】
【請求項１】
中高で外周に行くほど薄くなる断面形状で適宜平面形状の芯体を、生分解性プラスチックで形成すると共に、該芯体の表面又は裏面若しくは表裏両面に、その石鹸のブランド名やマークなどの表示を凸状に、また石鹸のメーカ名，社章，クジなどの表示を凹状にそれぞれ形成して設け、この芯体を固形石鹸の中心部に内蔵させたことを特徴とする固形石鹸。
【請求項２】
芯体の中高断面形状を、当該芯体を内蔵させる固形石鹸の断面形状に沿った中高形状とした請求項１の固形石鹸。
【請求項３】
芯体の平面形状は、それを内蔵させる固形石鹸の平面外形に沿った形状にした請求項１又は２の固形石鹸。
【請求項４】
芯体の表面や裏面に凸状及び／又は凹状に形成して設けるブランド名やメーカー名などの表示は、各表示が点在状やクロス線状、或は、縞状などの模様となるように配置した請求項１〜３のいずれかの固形石鹸。
【考案の詳細な説明】
【技術分野】
【０００１】
本考案は中心部に水や湯に溶解しない機能性の芯体を備えた固形石鹸に関する。
【背景技術】
【０００２】
従来から、固形石鹸の内部に石鹸とは別部材による核状のものを入れた石鹸が、特許文献１などにより提案されている。
【０００３】
提案されている核入り石鹸における核の目的は、全部が石鹸材料で形成されている従来の固形石鹸は、薄くなって残り少なくなると、石鹸をタオルやスポンジなどにこすりつけ難くなり、また、折れて小さくなると使い難いなどの問題点を解消することを目的とするものであった。
【０００４】
しかし、提案されている核入り固形石鹸は、未だ実用化されていない。
それは、固形石鹸の内部に平滑な板状の核を挿入しただけでは、石鹸を最後まで使い易い状態に維持できる利点があることは想定できても、それ以上の効果はないからであると考えられる。
【０００５】
また、平滑な板状の核は、石鹸が薄くなると石鹸から離脱し易くなるため、核が石鹸本体から離脱してしまうと核を挿入した意味がなくなり、また、核が離脱すると、核を入れない全部石鹸材料による従来の固形石鹸の残り少なくなった状態と変らないばかりか、残った核の仕末にも問題が残っている。
【特許文献１】実開平１−１４７２３８号公報
【考案の開示】
【考案が解決しようとする課題】
【０００６】
そこで本考案は、従来提案されている内部に核を備えた固形石鹸の上記問題点を解消することができる芯体を備えた固形石鹸を提供することを課題とする。
【課題を解決するための手段】
【０００７】
上記課題を解決することを目的としてなされた本考案石鹸の構成は、中高で外周に行くほど薄くなる断面形状で適宜平面形状の芯体を、生分解性プラスチックで形成すると共に、該芯体の表面又は裏面若しくは表裏両面に、その石鹸のブランド名やマークなどの表示を凸状に、また石鹸のメーカ名，社章，クジなどの表示を凹状にそれぞれ形成して設け、この芯体を固形石鹸の中心部に内蔵させたことを特徴とするものである。
【０００８】
本考案石鹸では、芯体の中高断面形状を、当該芯体を内蔵させる固形石鹸の断面形状に沿った中高形状とすることが望ましい。石鹸表面から略均等な深さに芯体が位置することにより、使用される石鹸は均等な厚さで減っていくからである。
この意味で、上記芯体の平面形状も、芯体を内蔵させる固形石鹸の平面外形に沿った形状にすることが望ましい。例えば、固形石鹸が長方形であれば、芯体はそれより一例として２回り程度小さ目の長方形に、石鹸が円形であれば、同じ要領で小さ目の円形に形成する。なお、芯体の大きさは、前記数値よりも大きい場合、或は、小さい場合のいずれかであることもある。
【考案の効果】
【０００９】
中高で外周に行くほど薄くなる断面形状で適宜平面形状の芯体を、生分解性プラスチックで形成すると共に、該芯体の表面又は裏面若しくは表裏両面に、その石鹸のブランドなどの表示を凸状に設け、石鹸のメーカ名，社章，クジなどの表示を凹状に設けて形成し、この芯体を固形石鹸の中心部に内蔵させて固形石鹸を形成したので、芯体が石鹸とよく合体して使用中に石鹸が減っても離れることがなく、また、芯体は生分解されて自然に消失するので、使い終わったあとの不燃ゴミも出ない。
【考案を実施するための最良の形態】
【００１０】
次に、本考案固形石鹸の実施の形態例について、図に拠り説明する。図１は本考案石鹸用の芯体を円形に形成した例の平面図、図２は図１の芯体を固形石鹸に内蔵させた一例の断面図で、図２では凹凸模様部を強調して表してある。
【００１１】
図において、１は本考案石鹸に内蔵させる芯体の一例で、図の例では円形に形成したものであるが、四角形や三角形、或は、六角形，八角形，菱形などの多面形のほか，楕円などの変形した円形や星形など、その平面形状は固形石鹸に合せて任意である。
【００１２】
上記の芯体１は、ここでは、時間の経過に伴い微生物によって分解されて消失する生分解性プラスチックなど、経時的に消失する材料で形成することが望ましい。また、芯体１の表面と裏面には、芯体１を包む固形石鹸２のブランド（商標やシンボルマーク）などの表示を突出させて形成した凸状模様部３と、この石鹸２のメーカ名や社章などの表示、並びに、クジなどのための表示を含む種々の表示をこの芯体１の表面に凹陥させて形成した凹状模様部４とを、この芯体１の表面1aと裏面1bの双方の面、又は、一方の面に形成している。
【００１３】
上記凸状模様部３と凹状模様部４は、この芯体１の面に、図１に例示したような点在状に形成するほか、両模様部３，４を平行線状やクロス線状に形成することもある。従って、図１に示した凸状模様部３と凹状模様部４の位置とパターンは一例であって、他のどのようなパターンや位置であっても構わない。また、凸状模様部３にメーカ名や社章，クジなどを表示し、凹状模様部４にブランドを表示することもある。
【００１４】
上述した芯体１は、固形石鹸２の製造工程中にその中に内蔵させるか、又は、完成した固形石鹸２に、それを加熱するなどして軟化させ、外周側から内部に圧入することにより、この固形石鹸２の中に内蔵させる。完成後の石鹸２を軟化させ、その外周側から圧入して内蔵させるとき、芯体１は中高状で外周に行くに従って肉薄になっているので、容易に圧入できる。圧入後は、軟化していた石鹸が圧入された芯体１の表面に形成されている凸状模様部３と凹状模様部４に食い込んで固化するから、内蔵された芯体１が石鹸２から外れることはない。
【００１５】
芯体１を内蔵させた石鹸２は、通常の固形石鹸と同様の使い方をするが、石鹸２が消耗して来ると芯体１が外面に露出して来るので、石鹸２は最後まで折れたり曲ったりすることなく完全に使い切ることができる。
【００１６】
外部に露出する芯体１には、その表面にブランドやメーカー名などが凸状及び／又は凹状の模様部３，４として形成されているので、その表示がこの石鹸の使用者にブランド名やメーカー名をＰＲする。また、クジなどが付いていれば、使用者は使い終った石鹸２の芯体１によってクジなどを楽しむことができる。さらに、この芯体１は生分解性プラスチック材製であるから、放置しておけば分解消失するので、不燃ゴミとして残ることもない。
【産業上の利用可能性】
【００１７】
本考案は以上の通りであって、中高で外周に行くほど薄くなる断面形状で適宜平面形状の芯体を、生分解性プラスチックで形成すると共に、該芯体の表面又は裏面若しくは表裏両面に、その石鹸のブランド名やマークなどの表示を凸状に、また石鹸のメーカ名，社章，クジなどの表示を凹状にそれぞれ形成して設け、この芯体を固形石鹸の中心部に内蔵させて固形石鹸を形成したので、従来の核入り固形石鹸の問題点を解消できるだけではなく、使用者に対する大きなＰＲ効果を発揮できる。
【図面の簡単な説明】
【００１８】
【図１】本考案石鹸用の芯体を円形に形成した例の平面図。
【図２】図１の芯体を固形石鹸に内蔵させた一例の断面図。
【符号の説明】
【００１９】
１    芯体
２    固形石鹸
３    凸状模様部
４    凹状模様部
【図１】
0003114064.tif 000003
【図２】
0003114064.tif 000004